(57)【特許請求の範囲】
【請求項１】
支持軸を有する支持体と、
外周部に電気コードが巻回される筒状のドラムを有すると共に、軸方向の一端部に開口部を有し、前記支持軸に回転自在に設けられたリールと、
前記リールの前記開口部を覆う位置に配置されて前記支持軸の一端部外周部に回動可能な状態で嵌合されたコンセント盤と、
このコンセント盤に設けられたコンセントと、
前記支持軸の一端部に前記コンセント盤を抜け止めするように設けられた抜止め手段と、
前記ドラムの内部に当該ドラムと一体回転するように設けられ、前記電気コードと電気的に接続された第１の電極を有する第１の電極ホルダと、
前記ドラムの内部に前記コンセント盤と一体に回動するように設けられ、前記コンセントと電気的に接続されると共に前記第１の電極に対して電気的に接続される第２の電極を有し、前記第１の電極ホルダと共に集電装置を構成する第２の電極ホルダとを具備したことを特徴とする電気コード巻取装置。
【請求項２】
ドラムの内部に仕切り部を設けると共に、この仕切り部に嵌合部を設け、第１の電極ホルダに、前記嵌合部に軸方向から嵌合する被嵌合部を設けたことを特徴とする請求項１記載の電気コード巻取装置。
【請求項３】
支持軸は円筒状をなしていて、
コンセント盤の抜止め手段は、
前記コンセント盤を抜け止めした状態で前記支持軸の一端部に挿入され、軸方向に延びるねじ挿通孔を有すると共に、軸方向の後端部に斜面を有した抜止め部材と、
前記支持軸の内部に挿入され、偏心した部位に軸方向に延びるねじ挿通孔を有すると共に、そのねじ挿通孔の後端部にナットを有し、軸方向の前端部に前記斜面と対向する斜面を有した偏心部材と、
前記抜止め部材の前方から当該抜止め部材の前記ねじ挿通孔及び前記偏心部材の前記ねじ挿通孔に挿通され、先端部が前記ナットに螺合されるねじとを備え、
前記ねじを前記ナットに螺合させることに基づき、前記偏心部材を前記斜面を介して径方向に移動させて当該偏心部材の外周部を前記支持軸の内面に圧接させることにより前記抜止め部材及び偏心部材を前記支持軸に固定する構成としたことを特徴とする請求項１記載の電気コード巻取装置。
【請求項４】
コンセント盤に、当該コンセント盤の回動に伴い操作されるスイッチを設け、このスイッチにより前記コンセント盤のコンセントに対する通電路を開閉する構成としたことを特徴とする請求項１記載の電気コード巻取装置。
【発明の詳細な説明】
【０００１】
【発明の属する技術分野】
本発明は、集電装置を備えた電気コード巻取装置に関する。
【０００２】
【発明が解決しようとする課題】
この種の電気コード巻取装置の従来構成の一例（実公平２−４００５８号公報参照）について、図７を参照して説明する。
支持体１の支持軸１ａに、電気コード２を巻き取るリール３が回転自在に設けられている。そのリール３は、電気コード２が巻回される円筒状のドラム４と、このドラム４の軸方向の前後両端部に取り付けられた前端板５及び後端板６とから構成されている。前端板５の中央部には円形の開口部５ａが形成されていて、この開口部５ａを覆うように円板状のコンセント盤７が配置されている。このコンセント盤７は、前記支持軸１ａの先端部に支持部材８を介して固定状態に設けられている。このコンセント盤７には、コンセント９が取り付けられている。
【０００３】
ドラム４の内部には、集電装置１０が設けられている。この集電装置１０は、環状電極が取り付けられた環状電極ホルダ１１と、その環状電極に接触するブラシが取り付けられたブラシホルダ１２とから構成されている。このうち環状電極ホルダ１１は、係止ピン１３により支持軸１ａに固定されている。ブラシホルダ１２は、環状電極ホルダ１１の筒部１１ａの外周部に回転自在に嵌合されていると共に、ドラム４内部の支持板１４に設けられた複数の係合ピン１５に軸方向から嵌合していて、その係合ピン１５を介してリール３と一体に回転するようになっている。
【０００４】
そして、リール３に巻回された電気コード２の一端部は、ブラシホルダ１２のブラシに電気的に接続されていると共に、各コンセント９の端子は、環状電極ホルダ１１の環状電極に電気的に接続されている。また、環状電極とブラシとは常に接触していて電気的に接続されている。
【０００５】
上記構成において、リール３に巻回された電気コード２を引き出し、その先端の差し込みプラグを家屋などに設置された電源コンセントに接続し、電動工具などの電気機器の電気コードの差し込みプラグを上記コンセント９に接続することにより、電気機器を電源コンセントから離れた場所で使用することができる。
【０００６】
この場合、コンセント９が設けられたコンセント盤７は支持体１の支持軸１ａに固定されているので、電気コード２を引き出したり、巻き取ったりするためにリール３を回転させても、コンセント９は回転せず、それに接続された電気機器の電気コードがねじれることを防止できる。
【０００７】
しかしながら、上記した構成のものでは、次のような欠点がある。すなわち、コンセント９が設けられたコンセント盤７が支持体１の支持軸１ａに固定されているため、そのコンセント９に電気機器の電気コードの差し込みプラグを差し込んだ状態で、その電気コードを人の足や何か物で引っ掛けてしまった場合、コンセント９とこれに差し込まれた差し込みプラグ部分に大きな力が作用し、コンセント９などが破損するおそれがある。
【０００８】
本発明は上記した事情に鑑みてなされたものであり、その目的は、集電装置を備えたものにおいて、コンセントに電気機器の電気コードの差し込みプラグを差し込んだ状態で、その電気コードを何かで引っ掛けたとしても、コンセントなどが破損することを極力防止することができる電気コード巻取装置を提供するにある。
【０００９】
【課題を解決するための手段】
上記の目的を達成するために、請求項１の発明は、支持軸を有する支持体と、外周部に電気コードが巻回される筒状のドラムを有すると共に、軸方向の一端部に開口部を有し、前記支持軸に回転自在に設けられたリールと、前記リールの前記開口部を覆う位置に配置されて前記支持軸の一端部外周部に回動可能な状態で嵌合されたコンセント盤と、このコンセント盤に設けられたコンセントと、前記支持軸の一端部に前記コンセント盤を抜け止めするように設けられた抜止め手段と、前記ドラムの内部に当該ドラムと一体回転するように設けられ、前記電気コードと電気的に接続された第１の電極を有する第１の電極ホルダと、前記ドラムの内部に前記コンセント盤と一体に回動するように設けられ、前記コンセントと電気的に接続されると共に前記第１の電極に対して電気的に接続される第２の電極を有し、前記第１の電極ホルダと共に集電装置を構成する第２の電極ホルダとを具備した構成としたところに特徴を有している。
【００１０】
上記した手段によれば、コンセントが設けられたコンセント盤は、支持軸に対して回動が可能な状態となっているから、そのコンセントに電気機器の電気コードの差し込みプラグを差し込んだ状態で、電気機器の電気コードはねじれることがなく、その電気コードを何かで引っ掛けたとしても、コンセント盤が支持軸に対し回動することにより、コンセントとこれに差し込まれた差し込みプラグ部分に大きな力が作用することを極力防止できるようになる。
【００１１】
この場合、ドラムの内部に仕切り部を設けると共に、この仕切り部に嵌合部を設け、第１の電極ホルダに、前記嵌合部に軸方向から嵌合する被嵌合部を設けた構成とすることが好ましい（請求項２の発明）。
また、コンセント盤に、当該コンセント盤の回動に伴い操作されるスイッチを設け、このスイッチにより前記コンセント盤のコンセントに対する通電路を開閉する構成とすることができる（請求項４の発明）。
【００１２】
【発明の実施の形態】
以下、本発明の一実施例につき、図１ないし図６を参照して説明する。まず、電気コード巻取装置の全体構成を示す図１及び図２において、支持体２１は、１本の金属パイプを曲成して構成されていて、脚部２２と、取手部２３と、支持軸２４とが一体に形成されている。取手部２３には、握りやすいように、取手カバー２５が取着されている。上記支持軸２４はほぼ水平状態に前方へ突出していて、この支持軸２４に、電気コード２６が巻回されたリール２７が回転自在に設けられている。電気コード２６の巻き終わり側の先端部には、差し込み端子２８ａを有する電源プラグ２８が設けられている。
【００１３】
上記リール２７は、円筒状をなす合成樹脂製のドラム２９と、このドラム２９の軸方向の両端部に設けられた前端板３０及び後端板３１とから構成されている。ドラム２９の内部には、図３にも示すように軸方向の中間部に位置させて仕切り部３２が一体に設けられていると共に、この仕切り部３２の中心部に軸挿通用の筒部３３が一体に設けられていて、この筒部３３が、前記支持軸２４の外周部に回転自在に嵌合されている。仕切り部３２には、軸方向の後方側へ窪む嵌合凹部３４が等間隔で３箇所に一体に設けられていると共に、開口部３５が形成されている。嵌合凹部３４は嵌合部を構成している。
【００１４】
上記前端板３０は、ドラム２９の前面側の開口部と対応する部分に円形の開口部３０ａを有し、かつドラム２９の径方向外側へ突出する部分を有したリング状をなしていて、ドラム２９の前面側の端部にねじ３６により取り付けられている。この前端板３０の前面側の外周部の１箇所に、リール２７を回転操作するための摘み３７が回転可能に取り付けられている。また、上記後端板３１は、ドラム２９の後面側の開口部を閉塞し、かつドラム２９の径方向外側へ突出する部分を有した円板状をなしていて、ドラム２９の後面側の端部にねじ３８により取り付けられている。後端板３１の中心部には、上記支持軸２４が挿通された挿通孔３１ａが形成されている。
【００１５】
支持軸２４の基端部の外周部には、位置規制部３９が設けられていると共に、位置決め用のリング部材４０が設けられていて、このリング部材４０により後端板３１を介してリール２７の後方への位置が規制されている。また、支持軸２４の軸方向の中間部の外周部には、位置決め用のＣリング４１が取着されていて、このＣリング４１により上記仕切り部３２の筒部３３を介してリール２７の前方への位置が規制されている。
【００１６】
上記支持軸２４の一端部である前端部には、前記前端板３０の開口部３０ａを覆うようにして、合成樹脂製のコンセント盤４２が後述するようにして取り付けられている。このコンセント盤４２には、図２において、中央部の左右両側に位置させてそれぞれ２組の差し込み孔４３を有する２組のコンセント４４がねじ４５により取り付けられていると共に、これら２組のコンセント４４間の上部に位置させてパイロットランプ４６が取り付けられ、さらに下部の後部側に操作子４７ａを有するスライド式のスイッチ４７が弾性係合爪４８を利用して取り付けられている。各コンセント４４の差し込み孔４３及びスイッチ４７の操作子４７ａは、コンセント盤４２の前面に露出している。
【００１７】
コンセント盤４２の中央部の前面側には、図２中、上下方向に長い矩形状の凹部４９が形成されていて、この凹部４９の下部に開口部５０が形成されている。この開口部５０に上記スイッチ４７の操作子４７ａが挿通されていて、その操作子４７ａは、左右方向にスライド操作されるようになっている。コンセント盤４２の中央部には前後両側が開放された嵌合孔を有する筒部５１が後方へ突出させて一体に設けられていて、この筒部５１を支持軸２４の前端部外周部に回動可能な状態で嵌合させている。この筒部５１の後部側には、図３に示すように嵌合凸部５２ａと嵌合凹部５２ｂとが形成されている。
【００１８】
そして、コンセント盤４２は、抜止め手段５３により支持軸２４からの抜け止めが図られている。この抜止め手段５３は、図５にも示すように、凹部４９内に配置された抜止め部５４ａ及び支持軸２４内に前方から挿入された軸部５４ｂとを一体に有した合成樹脂製の抜止め部材５４と、支持軸２４内に挿入された合成樹脂製の棒状の偏心部材５５と、これら抜止め部材５４と偏心部材５５とを固定するねじ５６とから構成されている。
【００１９】
このうち抜止め部材５４の抜止め部５４ａの下部には、前記スイッチ４７の操作子４７ａに嵌合するリング状のスイッチ操作部５７が形成され、抜止め部５４ａ及び軸部５４ｂには軸方向に延びるねじ挿通孔５８が形成され、さらに軸部５４ｂの後端部に斜面５９が形成されている。偏心部材５５には、その中心から偏心した部位に位置させて軸方向に延びるねじ挿通孔６０が形成されていると共に、このねじ挿通孔６０の後端部にナット６１が固定され、さらに前端部に前記斜面５９と対向するように斜面６２が形成されている。
【００２０】
ここで、抜止め手段５３は、支持軸２４に次のようにして取り付けられている。すなわち、ねじ５６を抜止め部材５４のねじ挿通孔５８及び偏心部材５５のねじ挿通孔６０に挿通すると共に、その先端をナット６１に緩く螺合させた状態で、偏心部材５５及び抜止め部材５４の軸部５４ｂを支持軸２４内に挿入すると共に、抜止め部材５４の抜止め部５４ａをコンセント盤４２の凹部４９内に配置した状態で、抜止め部５４ａの裏面を支持軸２４の前端部に当て、ねじ５６をナット６１にねじ込むようにする。すると、偏心部材５５が抜止め部材５４側に引き付けられながら斜面５９及び６２に沿って図１中矢印Ａ方向に移動し、当該偏心部材５５の外周部５５ａが支持軸２４の内周面に圧接するようになり、これにより抜止め部材５４及び偏心部材５５が支持軸２４に固定される。このような抜止め手段５３は、円筒状の支持軸２４に対して抜止め部材５４を所望の向きに固定することができる。
【００２１】
この場合、コンセント盤４２は、抜止め部５４ａにより前方への抜け止めがなされており、また、凹部４９の左右の側面４９ａ，４９ｂが抜止め部５４ａの側面に当たる範囲（図２と図６参照）で、支持軸２４に対して回動が可能となっている。またこのとき、コンセント盤４２の回動に伴いスイッチ操作部５７によりスイッチ４７の操作子４７ａが操作されるようになっていて、スイッチ４７としては、図２の状態ではオン、図６の状態ではオフとなる。
【００２２】
一方、上記ドラム２９内には、集電装置６３が配設されている。この集電装置６３について、主に図３及び図４を参照して説明する。
まず、第１の電極ホルダ６４は、絶縁材により円板状に形成されていて、これの一面に３個の環状溝６５ａ〜６５ｃが同心状に形成されている。これら環状溝６５ａ〜６５ｃのうち外側の２個の環状溝６５ａ，６５ｂに、環状の金属板製の第１の電極６６，６７が配設されている。これら第１の電極６６，６７は、複数の固定片６６ａ，６７ａ（図４に１個のみ示す）とこれよりも大きな１個の接続片６６ｂ，６７ｂを一体に有していて、これら固定片６６ａ，６７ａ及び接続片６６ｂ，６７ｂを第１の電極ホルダ６４の裏面側に折り曲げることにより第１の電極ホルダ６４に取り付けられている。
【００２３】
このような第１の電極ホルダ６４と対向するように配置された第２の電極ホルダ７０も、第１の電極ホルダ６４と同様に、絶縁材により円板状に形成されていて、これの第１の電極ホルダ６４と対向する一面に、３個の環状溝７１ａ〜７１ｃが同心状に形成されている。これら環状溝７１ａ〜７１ｃのうち外側の２個の環状溝７１ａ，７１ｂに、上記第１の電極６６，６７と同様な環状の金属板製の第２の電極７２，７３が配設されている。これら第２の電極７２，７３も、複数の固定片７２ａ，７３ａ（図４に１個のみ示す）とこれよりも大きな１個の接続片７２ｂ，７３ｂを一体に有していて、これら固定片７２ａ，７３ａ及び接続片７２ｂ，７３ｂを第２の電極ホルダ７０の裏面側に折り曲げることにより第２の電極ホルダ７０に取り付けられている。
【００２４】
そして、対向する第１の電極６６と第２の電極７２との間、及び第１の電極６７と第２の電極７３との間には、環状でかつ波形に形成された金属板製の中間電極７６及び７７が配設されている。各中間電極７６，７７はばね性を有していて、第１の電極６６，６７側へ突出した山部７６ａ，７７ａがそれら第１の電極６６，６７に摺動可能に接触すると共に、第２の電極７２，７３側へ突出した山部７６ｂ，７７ｂがそれら第２の電極７２，７３に摺動可能に接触している。この場合、各山部７６ａ，７７ａ及び７６ｂ，７７ｂは、交互に３個ずつ形成されている。
【００２５】
上記第１の電極ホルダ６４には、中央部に筒部７８が、外周部の３箇所に後方側へ突出する嵌合凸部７９が、外周部の３箇所に前方側へ突出する係合爪からなる係合部８０がそれぞれ一体に設けられている。この場合、嵌合凸部７９が、前記嵌合凹部３４に嵌合する被嵌合部を構成している。第２の電極ホルダ７０には、中央部に筒部８１が、外周部に環状の凸部からなる被係合部８２が一体に設けられている。筒部８１の前部には、前記コンセント盤４２の筒部５１の嵌合凸部５２ａ及び嵌合凹部５２ｂと嵌合する嵌合凹部８１ａ及び嵌合凸部８１ｂが形成されている。
【００２６】
そして、第１の電極６６，６７と第２の電極７２，７３との間に波形の中間電極７６，７７を挟んだ状態で、第１の電極ホルダ６４の各係合部８０を第２の電極ホルダ７０の被係合部８２に係合させることにより、ユニット化されている。このとき、第１の電極ホルダ６４の筒部７８の前部と第２の電極ホルダ７０の筒部８１の後部とは一部が嵌合していて、これら第１の電極ホルダ６４と第２の電極ホルダ７０とは相対的に回転可能に組み付けられている。また、各中間電極７６，７７は、第１の電極６６，６７と第２の電極７２，７３とに弾性的に接触していて、それら第１の電極６６，６７と第２の電極７２，７３とを常に電気的に接続した状態としている。
【００２７】
このように構成された集電装置６３は、筒部７８及び８１を支持軸２４の外周部に回転可能に嵌合させると共に、第１の電極ホルダ６４の３個の嵌合凸部７９を前記仕切り部３２の嵌合凹部３４に軸方向から嵌合させ、また、コンセント盤４２の嵌合凸部５２ａ及び嵌合凹部５２ｂを筒部８１の嵌合凹部８１ａ及び嵌合凸部８１ｂに嵌合させることによりドラム２９内に配設されている。各嵌合凹部３４内にはコイルばね８３が配設されていて、このコイルばね８３により集電装置６３を前方へ付勢している。
【００２８】
ここで、ドラム２９の外周部に巻回された電気コード２６の基端部側の電線２６ａは、ドラム２９内に配線されていて、ドラム２９内において集電装置６３の第１の電極６６，６７の接続片６６ｂ，６７ｂに接続されたリード線８４に接続されている。また、コンセント盤４２に設けられたコンセント４４の各端子、パイロットランプ４６のリード線４６ａ、及びスイッチ４７は、ドラム２９内において集電装置６３の第２の電極７２，７３の接続片７２ｂ，７３ｂにリード線８５及び所定の渡り線を介して電気的に接続されている。
【００２９】
そしてこの場合、第１の電極ホルダ６４は、嵌合凸部７９がドラム２９側の嵌合凹部３４に嵌合しているので、固定部である支持軸２４に対してリール２７と一体に回転するようになっている。また、第２の電極ホルダ７０は、筒部８１の嵌合凹部８１ａ及び嵌合凸部８１ｂがコンセント盤４２の嵌合凸部５２ａ及び嵌合凹部５２ｂに嵌合しているので、固定部である支持軸２４に対してコンセント盤４２と一体に所定の範囲内で回動するようになっている。なお、コンセント盤４２は、嵌合凸部５２ａ及び嵌合凹部５２ｂが第２の電極ホルダ７０の筒部８１の嵌合凹部８１ａ及び嵌合凸部８１ｂに嵌合することにより後方への位置が規制されており、この状態で、コンセント盤４２の外周部の裏面と、前端板３０の前面及びねじ３６の頭部との間には、隙間８６（図１参照）が形成されている。
【００３０】
この場合、集電装置６３及びコンセント盤４２は、次のようにして組み付けられる。すなわち、まず、支持体２１の支持軸２４にリール２７を組み付けた状態で、ドラム２９の各嵌合凹部３４にコイルばね８３を収容しておく。次に、ユニット化された集電装置６３の筒部７８及び８１を支持軸２４に嵌合させると共に、第１の電極ホルダ６４の各嵌合凸部７９を前記嵌合凹部３４に嵌合させる。
【００３１】
次に、コンセント盤４２の筒部５１を支持軸２４に嵌合させると共に、この筒部５１の嵌合凸部５２ａ及び嵌合凹部５２ｂを、第２の電極ホルダ７０の筒部８１の嵌合凹部８１ａ及び嵌合凸部８１ｂに嵌合させる。この後、前述したように、抜止め手段５３におけるねじ５６を抜止め部材５４のねじ挿通孔５８及び偏心部材５５のねじ挿通孔６０に挿通すると共に、その先端をナット６１に緩く螺合させた状態で、偏心部材５５及び抜止め部材５４の軸部５４ｂを支持軸２４内に挿入すると共に、抜止め部材５４の抜止め部５４ａをコンセント盤４２の凹部４９内に配置した状態で、抜止め部５４ａの裏面を支持軸２４の前端部に当て、ねじ５６をナット６１にねじ込むようにする。すると、偏心部材５５の外周部５５ａが支持軸２４の内周面に圧接するようになり、これにより抜止め部材５４及び偏心部材５５が支持軸２４に固定され、コンセント盤４２の抜け止めが図られる。このとき、コンセント盤４２及び抜止め部材５４の抜止め部５４ａの向きを設定位置となるように合わせる。
【００３２】
次に上記構成の作用を説明する。
例えば電動工具などの電気機器を、家屋などに設置された電源コンセントから離れた場所で使用する場合、上記した電気コード巻取装置８７を、電気機器を使用する場所の近くまで持っていき、リール２７に巻回された電気コード２６を引き出し、その先端の電源プラグ２８を、家屋などに設置された図示しない電源コンセントに差し込み接続する。このとき、リール２７は回転するが、コンセント盤４２は所定の範囲内でしか回動しない。また、集電装置６３における第１の電極６６，６７と第２の電極７２，７３との間は、中間電極７６，７７を介して電気的に常に導通した状態となっている。
【００３３】
そして、電気コード巻取装置８７のコンセント盤４２におけるコンセント４４に、使用しようとする電気機器の電気コードの図示しない差し込みプラグを差し込み接続する。このとき、スイッチ４７の操作子４７ａが、図１に示すように左側に操作されている場合には、スイッチ４７としてはオン状態で、コンセント４４及びパイロットランプ４６に対する通電路が閉成されている。この状態では、パイロットランプ４６が点灯し、コンセント４４ひいては電気機器の使用が可能である。
【００３４】
なお、この状態で、コンセント盤４２を、図１の状態から矢印Ｂ方向（電気コード２６を巻き取る方向）に回動させると、スイッチ４７の操作子４７ａが、スイッチ操作部５７により相対的に図６に示すように右側に操作された状態となり、この場合には、スイッチ４７としてはオフ状態で、コンセント４４及びパイロットランプ４６に対する通電路が開放される。この状態では、パイロットランプ４６は消灯され、コンセント４４ひいては電気機器の使用が不可となる。
【００３５】
一方、上記したように電気機器の電気コードの差し込みプラグをコンセント盤４２のコンセント４４に差し込み接続した状態で、その電気コードを人の足や何か物で引っ掛けてしまうことがある。この場合、上記コンセント盤４２は、支持軸２４に対して回動が可能な状態となっているから、コンセント盤４２が支持軸２４に対し回動することにより、コンセント４４とこれに差し込まれた差し込みプラグ部分に大きな力が作用することを極力防止できるようになる。
なお、引き出された電気コード２６を巻き取る場合には、リール２７の摘み３７を持ってリール２７を図２中矢印Ｂ方向へ回転させる。このときも、コンセント盤４２は所定の範囲内でしか回動しない。
【００３６】
上記した実施例によれば、次のような効果を得ることができる。
まず、リール２７内に集電装置６３を備えたものにおいて、コンセント４４が設けられたコンセント盤４２は、上記したように支持軸２４に対して回動が可能な状態となっているから、そのコンセント４４に電気機器の電気コードの差し込みプラグを差し込んだ状態で、その電気コードを何かで引っ掛けたとしても、コンセント盤４２が支持軸２４に対し回動することにより、コンセント４４とこれに差し込まれた差し込みプラグ部分に大きな力が作用することを極力防止できるようになり、ひいてはそれらコンセント４４や差し込みプラグなどが破損することを極力防止することができる。
【００３７】
コンセント盤４２に、このコンセント盤４２を回動させることに基づき操作されるスイッチ４７を設け、このスイッチ４７によりコンセント４４及びパイロットランプ４６に対する通電路を開閉する構成としているので、コンセント４４に対する通電路を容易に開閉でき、安全性を向上できる。
【００３８】
ドラム２９の内部に仕切り部３２を一体に設けると共に、この仕切り部３２に嵌合凹部３４を一体に設け、集電装置６３における第１の電極ホルダ６４に一体に設けた嵌合凸部７９をその嵌合凹部３４に嵌合させることにより、第１の電極ホルダ６４をリール２７と一体に回転させる構成としているので、第１の電極ホルダ６４をリール２７と一体回転させるために、ピンやねじなどの別部材を用いる必要がなく、組み立てやすい。
【００３９】
第２の電極ホルダ７０は、これの嵌合凹部８１ａ及び嵌合凸部８１ｂをコンセント盤４２の嵌合凸部５２ａ及び嵌合凹部５２ｂに嵌合させることによりコンセント盤４２と一体に回動し得る構成としているので、第２の電極ホルダ７０をコンセント盤４２と一体に回動させるために、やはりピンやねじなどの別部材を用いる必要がなく、組み立てやすい。
【００４０】
コンセント盤４２の抜止め手段５３としては、斜面５９を有する抜止め部材５４と、ナット６１及び斜面６２を有する偏心部材５５と、これらを固定するねじ５６とから構成しているので、円筒状をなす支持軸２４に対して、コンセント盤４２を任意の位置で抜け止め状態に容易に取り付けることができる。
【００４１】
そしてこの場合、集電装置６３及びコンセント盤４２を組み付けるについて、ねじとしては抜止め手段５３の１本のねじ５６を締め付けるのみで良く、総じて組立てを容易に行うことができる。
【００４２】
本発明は、上記した実施例にのみ限定されるものではなく、次のように変形または拡張することができる。
回動可能なコンセント盤４２と固定状態の抜止め部材５４との間に、スイッチ４７のオン状態で、コンセント盤４２の回動を選択的にロックするロック部材を設けるようにしても良い。
【００４３】
集電装置６３としては、中間電極７６、７７を用いるものに限られず、第１及び第２の電極６６，６７及び７２，７３のうち一方の電極を、他方の電極に直接接触させるブラシにより構成することもできる。
抜止め手段５３としては、例えば支持軸２４側にナットまたはねじ孔を有する取付板を溶接などにより設け、そのナットまたはねじ孔にねじを螺合させる構成とすることもできる。
電気コード２６やコンセント４４、集電装置６３は、２芯タイプに限らず、３芯タイプとすることもできる。
【００４４】
【発明の効果】
以上の説明から明らかなように、本発明によれば次のような効果を得ることができる。
請求項１の電気コード巻取装置によれば、リール内に集電装置を備えたものにおいて、コンセントが設けられたコンセント盤は、支持軸に対して回動が可能な状態となっているから、電気機器の電気コードがねじれることがなく、また、そのコンセントに電気機器の電気コードの差し込みプラグを差し込んだ状態で、その電気コードを何かで引っ掛けたとしても、コンセントとこれに差し込まれた差し込みプラグ部分に大きな力が作用することを極力防止できるようになり、ひいてはそれらコンセントや差し込みプラグなどが破損することを極力防止することができる。
【００４５】
請求項２の電気コード巻取装置によれば、集電装置における第１の電極ホルダに設けた嵌合凸部を、ドラムに設けられた嵌合凹部に嵌合させることにより、第１の電極ホルダをリールと一体に回転させる構成としているので、第１の電極ホルダをリールと一体回転させるために、ピンやねじなどの別部材を用いる必要がなく、組み立てやすい。
【００４６】
請求項３の電気コード巻取装置によれば、コンセント盤の抜止め手段としては、斜面を有する抜止め部材と、ナット及び斜面を有する偏心部材と、これらを固定するねじとから構成しているので、円筒状をなす支持軸に対して、コンセント盤を任意の位置で抜け止め状態に容易に取り付けることができる。
【００４７】
請求項４の電気コード巻取装置によれば、コンセント盤に、このコンセント盤を回動させることに基づき操作されるスイッチを設け、このスイッチによりコンセント及びパイロットランプに対する通電路を開閉する構成としているので、コンセントに対する通電路を容易に開閉でき、安全性を向上できる。
【図面の簡単な説明】
【図１】本発明の一実施例を示す縦断側面図
【図２】正面図
【図３】要部の分解斜視図
【図４】第１の電極ホルダと第２の電極ホルダとを組み合わせた状態の集電装置の縦断側面図
【図５】抜け止め手段の分解状態での縦断側面図
【図６】コンセント盤を時計回り方向に回動させた状態での図２相当図
【図７】従来構成を示す縦断側面図
【符号の説明】
２１は支持体、２４は支持軸、２６は電気コード、２７はリール、２９はドラム、３０は前端板、３０ａは開口部、３１は後端板、３２は仕切り部、３４は嵌合凹部（嵌合部）、４２はコンセント盤、４４はコンセント、４６はパイロットランプ、４７はスイッチ、４７ａは操作子、５３は抜止め手段、５４は抜止め部材、５５は偏心部材、５６はねじ、５８はねじ挿通孔、５９は斜面、６０はねじ挿通孔、６１はナット、６２は斜面、６３は集電装置、６４は第１の電極ホルダ、６６，６７は第１の電極、７０は第２の電極ホルダ、７２、７３は第２の電極、７６，７７は中間電極、７９は嵌合凸部（被嵌合部）、８７は電気コード巻取装置を示す。
【図１】
0004077122.tif 000002
【図２】
0004077122.tif 000003
【図３】
0004077122.tif 000004
【図４】
0004077122.tif 000005
【図５】
0004077122.tif 000006
【図６】
0004077122.tif 000007
【図７】
0004077122.tif 000008